(57)【要約】      （修正有）【課題】趾の屈曲によって伸びる人体側の足長と、踏み付け部の屈曲によって縮む靴側の足長の変化によって足が靴によって圧力を受けることを軽減し、外反母趾、ハンマートウ及び靴擦れ等を防止する。【解決手段】靴の踏み付け部の上に当たる甲皮部に屈曲する軸を設定し、その部分に伸縮部分を設け、靴の内底の足長を屈曲時に足の皮膚に合わせて伸びるようにする。更に中底と外底をその伸びを阻害しないような構造としたことを特徴とする靴。【選択図】図２
0003119977.tif 000002
【実用新案登録請求の範囲】
【請求項１】
靴が屈曲する趾の付け根関節部分近くの甲皮部分を伸縮可能な構造又は素材を用い、靴底も特定の構造体を用いることにより、足の形状変化に合わせて伸縮できるようにしたことを特徴とする靴。
【請求項２】
屈曲の位置を第一趾から第五趾の付け根関節の屈曲中心を貫く軸と合わせ、足長を確実に伸縮させるために、前部甲皮（図２の１ｂで示した部分）と後部甲皮（図２の４ｂで示した部分）の間にヒンジを設置した請求項１の靴。
【請求項３】
足長変化に対応するための機能を維持しながら、靴底を加工したことによって失われたシャンク機能を底に高反発素材を用いることで回復した請求項２の靴。
【請求項４】
下方からの異物の浸入を防ぎ、かつ底の伸縮への影響を抑えるためにヒダ状に折りたたんだ底を備えた請求項１、２、３の靴。
【考案の詳細な説明】
【技術分野】
【０００１】
本発明は趾付け根関節の動きに伴う足の足長寸法変化に対応するための靴に関する。
【背景技術】
【０００２】
人は足に緩みなく靴を装着するため、足長を選択の目安とするが人の足長は成長に伴う変化、更には朝夕にも差があり適正なサイズの靴の供給は靴メーカーの命題となっている（例えば、特許文献１参照。）。そればかりではなく運動に伴う関節の動きにより足も靴も足長は絶えず変化している。歩きやすさの追求の結果によって派生したヒール高差やロッカー、シャンクという機構により靴の変形と関節の動きを抑え、更に適度な捨て寸の設定により足長の変化に対応しようとしているが、これらでは不充分で障害を払拭するに至らないばかりか、足の動きの制約により土踏まずの成長遅れなどの弊害も生んでいる。
【０００３】
【特許文献１】特開平１１−０１８８０３号公報
【考案の開示】
【考案が解決しようとする課題】
【０００４】
趾の付け根関節で屈曲する運動は足側の足長を増加させ、靴側の足長を減少させる。この足長の変化量の差寸が従来の技術で処理できる許容範囲を大幅に越える。結果として靴が爪先と踵から押される状態をつくり、外反母趾やハンマートウ、靴擦れなどの障害の原因とされる状況となっている。これらの障害の要因を排除できる靴の提供を課題とする。
【０００５】
素足の歩行で趾の付け根関節は４５〜７０度程曲げられることが実測された。階段や斜路の登り又は走行では最大屈曲に達することもあり９０度前後になると推測される。この屈曲の中心の高さは成人で足裏から１５〜１９ｍｍになる。屈曲中心高さをL1、屈曲角度をｒとしたときほぼ２L１πｒ／３６０足長は増加する。
更に靴底の構造によって差はあるが靴底の屈曲部の最低厚さをL2とした場合、足裏と接する部分の靴の足長がほぼL２πｒ／３６０減少してしまう。
上記の二式より足長２６ｃｍの人が一般的な靴を履いた場合、足が約２７ｍｍ伸び、靴が約９ｍｍ縮み、従来の技術で処理できる寸法が約１４ｍｍと試算できる。差し引き約２５ｍｍ分の足長不足が解消できないでおり足の障害の要因と成り得るという課題がある。
【課題を解決するための手段】
【０００６】
趾付け根関節の屈曲による皮膚の伸びに合わせて靴の内側が伸びれば問題は解決される。しかし単純に靴下の様に伸びるだけでは爪先にかかる負荷を解消できない。従来の靴を踏み付け部（図７の３で示した部分）で趾を収納する部分とそれ以外の部分とに二分割した間に伸縮部分を設ける構造とすることで上記課題が解決できることを見出し、本考案を完成した。伸縮部分は約３〜６ｃｍの範囲で最大３ｃｍの伸縮を可能とする構造をとることで足の障害を引き起こさない靴が提供可能となる。
【０００７】
底部分の構造であるが特に皮膚の伸びの大きい踏み付け部周辺の内底（図３の７で示した部分）に伸縮する構造若しくは素材を用いる。強度を求められる部分故に耐久性などの面から従来より一体形であることを求められてきた部分ではあるが内底の必要な伸縮を阻害しないため、中底・外底は爪先の荷重を支える部分と踵の荷重を支える部分にあえて２分割以上としたもの（図３〜５の９、１０、１１で示した部分）を内底へ固着し、屈曲時に空間を持たせることで抵抗なく足長の伸縮を可能とする。若しくは中底と外底に深く切り込みを入れることで伸張時の反発力を低減する。
その上部の甲皮部は第一趾から第五趾の付け根関節の回転中心を貫く軸（図１のＡ点で示した部分）に合わせ屈曲させられるようにする。仮に伸縮素材で図1にある２の形状のパーツを作った場合に上下の横方向に広い部分は大きく伸縮するが、Ａ点に近い絞られた部分は殆ど伸縮しない。この作用を利用し屈曲する位置を点へと絞り込む。ただし内底７、場合によっては中底や外底を伸張する力によって屈曲の中心が下方へ移動することが想定されるので、その位置を上方へ設定する配慮が必要となる。
【０００８】
図１〜３において、甲皮３、４、５、締め具１３、内底８により足の踵や甲の部分を固定すれば、靴は屈曲したとき靴自体が足と接する部分を伸ばすこととなる。これにより趾の付け根関節の屈曲を伴う運動時に趾は靴の爪先部分に押し付けられることがなくなる。
これにより人が歩行を含む運動によって屈曲する趾の付け根関節の動きを妨げず、その動きに伴う足裏の皮膚の伸縮と同調して靴底足長が変化する靴を提供することができる。
【０００９】
図２において、確実に足長を伸ばす場合は理想の屈曲点Ｂにヒンジ内外１４を合わせる。
【００１０】
内履きなど下からの異物の浸入が懸念されない場合を除きヒダ状の外底（図３の１２ｂ示した部分）によって下方からの突起物などから足を保護する。
【００１１】
変形しにくい甲皮１ｂ、４ｂとヒンジにより屈曲部の靴底が伸張時の反発力の強いものでも屈曲時に底は確実に伸び足長は確保される。靴底の反発力が強い状態にあれば靴は平坦な状態に戻ろうとする力が強くなり、趾による蹴り出し運動の補助として利用できる。
【考案の効果】
【００１２】
趾の屈曲運動により生ずる人体側の足長の増加と、靴側の足長の減少から足が靴によって前後から押される状態が解消される。これにより一般に先細りになっている靴の先端に趾が押し込められるようにして生ずる外反母趾、内反小趾、プロバンス爪、ハンマートウ、圧力と摩擦によって生じる靴擦れなどの障害の軽減若しくは解消が予測できる。
更にロッカー、ヒール高差によって制限されていた筋の活動がより自由になる。素足歩行に近い筋の使用により近年における小児の土踏まずの発育遅れ、体力低下などの対策に成り得る。また脹脛におけるミルキングアクションが正常に機能するようになる。このことにより循環器系への負担が減少する。足のむくみが生じにくくなり、心臓への負荷も低下するためスポーツ中の突然死も低減できる可能性が期待できる。
【考案を実施するための最良の形態】
【００１３】
以下に本考案の実施の形態として実施例を図１〜図５に基づいて説明する。
従来の靴に比べ、踏み付け部で二分割した間に伸縮部分を設けた形になるので現在の製造方法とほぼ同様の方式にて製造が可能である。
図１と図３において伸縮可能な内底７に軟質な内底６、８を固着する。伸縮可能な甲皮２に硬質な甲皮１と硬質な甲皮内外４と軟質な甲皮３を固着し、甲皮内外４と甲皮５を固着する。その後内底６、７、８に甲皮１、２、４、５を固着する。
軽量な弾性体からなる緩衝素材の中底９、１０、１１に防滑、耐磨耗素材の外底１２を固着するが、ヒダ状に折り曲げた外底部分１２ｆは自由に屈伸させるために固着しない。
内底６、７、８にそれぞれ中底９、１０、１１を、外底１２を甲皮１ａ、５と固着する。
全ての工程の後に締め具１３を装着する。
【００１４】
図２、３においては上記で行なった工程の後にリベット内外１４にてヒンジ構造を作り、硬質な甲皮１ｂと硬質な甲皮内外４ｂを可動可能な状態で結合する。
【００１５】
図４において個々の中底１０ｂは内底７との接触面中央で内底７の伸縮を妨げず、かつ脱落しないように固着する。
【００１６】
図５においてはヒダ状の中底１０ｃが容易に伸縮するように中底７とヒダの頂点で固着するか、或いは中底の弾性を利用し固着しない。
【図面の簡単な説明】
【００１７】
【図１】屈曲部に伸縮部品だけを使用した靴の一例（内外はほぼ同型のため省略）
【図２】屈曲部にヒンジを使用した靴の一例（内外はほぼ同型のため省略）
【図３】図１、図２の縦断面図（内外はほぼ同型のため省略）
【図４】中底、外底を多数分割した底の縦断面図の一例
【図５】中底、外底に切り込みを入れた底の縦断面図の一例
【符号の説明】
【００１８】
１,２,３,４,５  甲皮
６,７,８  内底
９，１０，１１  中底
１２  外底
１３  締め具
１４  リベット
【図１】
0003119977.tif 000003
【図２】
0003119977.tif 000004
【図３】
0003119977.tif 000005
【図４】
0003119977.tif 000006
【図５】
0003119977.tif 000007
【手続補正書】
【提出日】平成18年1月12日(2006.1.12)
【手続補正１】
【補正対象書類名】実用新案登録請求の範囲
【補正対象項目名】全文
【補正方法】変更
【補正の内容】
【実用新案登録請求の範囲】
【請求項１】
靴が屈曲する趾の付け根関節部分近くの甲皮と内底を伸縮可能な構造又は素材を用い、その下は弾性変形する素材を用い、この弾性素材に横方向から交互に深い溝を入れる、又は裏と表から深い溝を入れることでアコーディオン状にするか、弾性素材が網目状になるように貫通する切込みを入れるか、或いはこれを分割した靴底にすることで足の形状変化に合わせて伸縮できるようにしたことを特徴とする靴。
【請求項２】
第一趾から第五趾の付け根関節の屈曲回転中心を貫く軸の近くに靴が屈曲する中心位置を合わせ、なおかつ靴の足長を確実に伸縮させるために、前部甲皮（図２の１ｂで示した部分）と後部甲皮（図２の４ｂで示した部分）の間にヒンジを設置した請求項１の靴。
【請求項３】
足長変化に対応するための機能を維持しながら、靴底を伸縮する構造にすることにより失われたシャンク機能を回復する為に底に高反発素材を用いた請求項２の靴。
【請求項４】
下方からの異物の浸入を防ぎ、かつ底の伸縮への影響を抑えるためにヒダ状に折りたたんだ外底を備えた請求項１、２、３の靴。